(57)【要約】      （修正有）【課題】配線用穴を有効利用できるテーブルを提供する。【解決手段】天板に形成された角形の配線用穴に四角形の枠体９が装着されている。枠体９には、メインカバー１１と接続器ユニット１２とが装着されており、メインカバー１１の枠体９との間、及び、接続器ユニット１２と枠体９との間に、それぞれ上下に貫通した左右横長の通線空間が空いている。メインカバー１１は、接続器ユニット１２の側の側縁部を中心にして起こし回動することができる。接続器ユニット１２では、コンセントボックス１６は本体ケース１５に対して左右スライド可能である。メインカバー１１と接続器ユニット１２との位置は互いに変更できる。異なる用途の部材で配線用穴を塞いでいるため、配線用穴の箇所を有効利用できる。【選択図】図４
2018075049.tif 000002
【特許請求の範囲】
【請求項１】
天板に設けた角形の配線用穴に、その内周に沿って延びる角形の枠体が装着されており、前記枠体に、少なくとも配線用穴を部分的に塞ぐ機能を有する同種又は異種の複数の部材が並べて取り付けられており、前記各部材と枠体との間には、ケーブル類を引出しできる通線空間が空いている、
テーブル。
【請求項２】
前記枠体に、前記複数の部材として、前記配線用穴を塞ぐための角形のカバーと、電源用コンセント又はＵＳＢポート若しくは両方を上向きに設けた角形の接続器ユニットであり、これらカバーと接続器ユニットとは、前記枠体に着脱自在でかつ取り付け位置を変更可能になっている、
請求項１に記載したテーブル。
【請求項３】
前記複数の部材のうちの少なくとも１つはカバーであり、このカバーは、水平状の閉じ姿勢から起立状の開き姿勢まで段階的に又は無段階的に姿勢変更できるように枠体に取り付けられている、
請求項２に記載したテーブル。
【請求項４】
前記枠体の相対向した内側面に、円形の軸受けボス体が対向して水平方向に突設されている一方、
前記カバーには、前記軸受けボス体に嵌まる抱持部が形成されており、前記抱持部を、前記カバーを起こした姿勢のときに略下向きに開口した横向きＵ形に形成することにより、前記カバーが、前記軸受けボス体に対して嵌脱自在でかつ軸受けボス体の軸心回りに回動することが許容されており、
かつ、前記抱持部には円弧状外周面が形成されて、前記枠体には、前記抱持部の円弧状外周面に沿って延びるロックアームが形成されており、前記ロックアームは弾性変形可能であって、その先端には前記抱持部の円弧状外周面に向いた係合突起を形成して、前記円弧状外周面には、少なくとも前記カバーを全開姿勢にしたときに前記係合突起が嵌まる係合凹部を形成している、
請求項３に記載したテーブル。
【請求項５】
前記軸受けボス体とロックアームとは、前記枠体とは別部材として製造されていて枠体に後付けされている樹脂製の軸受け部材に形成されている、
請求項４に記載したテーブル。
【請求項６】
前記接続器ユニットは、当該接続器ユニットと前記カバーとの並び方向に水平スライドさせることによって前記枠体に装着されており、前記カバーに近づけた取り付け状態では、枠体に上下動不能に保持されていると共に、枠体の内周と接続器ユニットとの間にはケーブル類を引き出すことができる通線空間が空いており、前記カバーから離れるように水平動させると枠体から取り外しできる、
請求項２〜５のうちのいずれかに記載したテーブル。
【発明の詳細な説明】
【技術分野】
【０００１】
本願発明は、天板に配線用穴を設けたテーブルに関するものである。
【背景技術】
【０００２】
オフィス等で使用するテーブルでは、電源ケーブルやＬＡＮケーブル（ネットワーク用ケーブル）、或いは電源用ＵＳＢポートケーブルを机上に引出しできるように天板に配線用穴を空けていることが多い。この配線用穴は、コネクタ類の出し入れのためにある程度の大きさがあるため、通常はカバーで塞いでいる。
【０００３】
一般に、配線用穴には、その内周に沿って延びる枠体が装着されており、カバーは、枠体に着脱自在に取り付けていることが多い。このように装置の例として特許文献１には、１つの配線用穴に前後一対のカバーを配置し、２つのカバーをそれぞれ自在な状態で枠体に取り付けることにより、カバーを取り外すことなく開閉できるようにした構成が開示されている。
【０００４】
配線用穴の下方にはダクトを配置しており、ダクトにコンセントを設けている。従って、使用者は、カバーを空けて、手先を配線用穴の内部に差し入れて、プラグをコンセントに抜き差しすることになる。
【先行技術文献】
【特許文献】
【０００５】
【特許文献１】特開２０１６−８７２４３号公報
【発明の概要】
【発明が解決しようとする課題】
【０００６】
さて、テーブルの使用態様は様々であり、特定のテーブルが（或いはテーブルのうちの特定の席が）特定の人の使用場所として固定されている場合もあるし、不特定の人が不特定の席を使用する場合もある。商談に使用するテーブルやミーティングに使用するテーブルの場合は、後者のように、常に、不特定の人が不特定の席を使用することになる。
【０００７】
テーブルの使用者が固定されている場合は、プラグの抜き差しは頻繁に行われる訳ではないので、配線用穴に手を差し込んでプラグを抜き差しするタイプでも特段の問題はないが、不特定の人が使用するテーブルの場合は、コンセントは一時的に使用するに過ぎないため、配線用穴に手を差し込んでプラグをコンセントに抜き差しするのは面倒である。さりとて、テーブルタップを机上に載せたままにしておくのは体裁が良くない。
【０００８】
また、天板に空けた穴にコンセントを嵌め入れて、コンセントの上面を机上面とほぼ揃えている場合もあるが、この場合はコンセントの取り外しはできないため、配線用穴の下方に設けたダクトにコネクタ類を出し入れするといったことはできず、融通性が悪いという問題がある。
【０００９】
本願発明はこのような現状を改善すべく成されたものであり、機能的に優れた配線処理装置を提供することを主たる目的としている。本願は、様々な改良が施されたテーブルを開示している。このような改良されたテーブルを提供することも、発明の目的（課題）たり得るものである。
【課題を解決するための手段】
【００１０】
本願発明は多様な構成を含んでおり、その例を各請求項で特定している。このうち請求項１の発明は、
天板に設けた角形の配線用穴に、その内周に沿って延びる角形の枠体が装着されており、前記枠体に、少なくとも配線用穴を部分的に塞ぐ機能を有する同種又は異種の複数の部材が並べて取り付けられており、前記各部材と枠体との間には、ケーブル類を引出しできる通線空間が空いている、
という構成になっている。
【００１１】
請求項２の発明は、請求項１において、
前記枠体に、前記複数の部材として、前記配線用穴を塞ぐための角形のカバーと、電源用コンセント又はＵＳＢポート若しくは両方を上向きに設けた角形の接続器ユニットであり、これらカバーと接続器ユニットとは、前記枠体に着脱自在でかつ取り付け位置を変更可能になっている。この場合、ＵＳＢポートはＬＡＮ等のネットワークに使用するものでもよいし、スマートフォンや形態タブレット等の電源用（或いは充電用）として使用してもよい。
請求項３の発明は、請求項１又は２において、前記複数の部材のうちの少なくとも１つはカバーであり、このカバーは、水平状の閉じ姿勢から起立状の開き姿勢まで段階的に又は無段階的に姿勢変更できるように枠体に取り付けられている。
【００１２】
請求項４の発明は請求項３の具体例であり、
前記枠体の相対向した内側面に、円形の軸受けボス体が対向して水平方向に突設されている一方、
前記カバーには、前記軸受けボス体に嵌まる抱持部が形成されており、前記抱持部を、前記カバーを起こした姿勢のときに略下向きに開口した横向きＵ形に形成することにより、前記カバーが、前記軸受けボス体に対して嵌脱自在でかつ軸受けボス体の軸心回りに回動することが許容されており、
かつ、前記抱持部には円弧状外周面が形成されて、前記枠体には、前記抱持部の円弧状外周面に沿って延びるロックアームが形成されており、前記ロックアームは弾性変形可能であって、その先端には前記抱持部の円弧状外周面に向いた係合突起を形成して、前記円弧状外周面には、少なくとも前記カバーを全開姿勢にしたときに前記係合突起が嵌まる係合凹部を形成している。
【００１３】
請求項４の好適な展開例として、請求項５の発明では、前記軸受けボス体とロックアームとは、前記枠体とは別部材として製造されていて枠体に後付けされている樹脂製の軸受け部材に形成されている。
【００１４】
請求項６の発明では、請求項２〜５のうちのいずれかにおいて、
前記接続器ユニットは、当該接続器ユニットと前記カバーとの並び方向に水平スライドさせて前記枠体に装着されており、前記カバーに近づけた取り付け状態では、枠体に上下動不能に保持されていると共に、枠体の内周と接続器ユニットとの間にはケーブル類を引き出すことができる通線空間が空いており、前記カバーから離れるように水平動させると枠体から取り外しできるようになっている。
【発明の効果】
【００１５】
本願発明では、１つの配線用穴に同種又は異種の複数の用途の部材が配置されているため、配線用穴の箇所を有効利用できる。しかも、各部材は蓋としての機能は有しているため、通線空間よりも大きい物であれば、配線用穴に落ち込むことは防止できる。また、物品を枠体に装着した状態でもケーブル類は通線空間から机上に引出せるため、しごく便利である。
【００１６】
異なる用途の部材としては、請求項２のようなカバーと接続器ユニットとの組み合わせの他に、例えば、カバーと物品収納トレーとの組み合わせとしたり、物品収納トレーと接続器ユニットとの組み合わせとしたりできる。２つの接続器具ユニットを取り付けたり、２つのカバーを取り付けたりすることも可能である。カバーを挟んだ両側に接続器ユニットを配置したり、接続器ユニットを挟んだ両側にカバーを配置したりしてもよい。商談用のテーブルの場合、１つの部材を、テーブルの番号を表示できる山形のカードホルダーが設けられた形態とすることも可能である。
【００１７】
請求項２のように、配線用穴を塞ぐ物品としてカバーと接続器ユニットとを採用すると、電源用等プラグの抜き差しをごく簡単に行える。従って、一時的にテーブルを使用する人にとって、重宝である。接続器ユニットと枠体との間、及びカバーと枠体との間には通線空間が空いているため、机上に固定的に配置される機器に接続されたケーブル類は通線空間から引き出すようにしておくと、接続器ユニットに設けたコンセントの口数に限りがあっても、多数の機器に給電等を行える。また、ケーブル類の余長部分を通線空間から下方に垂らすことができるため、机上面をスッキリさせることもできる。
【００１８】
そして、接続器ユニットは配線用穴に配置するものであるため、スペースを有効利用することができる。接続器ユニットに設けたコンセントやジャックに接続されているケーブル類は、配線用穴に垂れることになるため、美観を損なうこともない。カバーや接続器ユニットを外すと配線用穴を大きく開口できるため、大きなコネクタ類の設置や取り外しも容易に行える。また、請求項２では、カバーと接続器ユニットとは取り付け位置を変更できるため、状況に応じた使い方を選択できる。従って、ユーザーフレンドリーである。
【００１９】
請求項３の構成を採用すると、カバーは少なくも全開状態に保持できるため、カバーを開いた状態で手を配線用穴の内部に差し入れて作業を行うにおいて、いちいちカバーが倒れないようにこれを手で持っている必要はなくて、作業者の負担を軽減できる。なお、カバーは、水平姿勢においても簡単には回動しない状態に固定しておくことが可能であり、この場合は、物や手が軽く触れてもカバーを水平姿勢に保持されるため、テーブルの振動によってガタついたり騒音が発生したりするといったことを防止できる。
【００２０】
請求項４の構成では、カバーは、起立状の姿勢にして軸受けボス体に向けて移動させたり引いたりすることにより、枠体に取り付けたり取り外したりすることができる。従って、着脱はごく簡単であり、配線用穴を大きく開口させる必要があるとき、その作業を迅速に行うことができる。
【００２１】
しかも、弾性変形するロックアームを利用してカバーを固定するもので、カバーの回動はロックアームを弾性変形させた状態で行うことになるが、ロックアームは円弧状外周面に沿って長く延びていることから、単位長さ当たりの応力を小さくしつつ大きく弾性変形させることができるため、必要なばね力を確保しつつ耐久性も高い。なお、ロックアームは弾性復元力を利用してカバーの姿勢を保持するものであり、全く動かない状態に保持するものではない。
【００２２】
さて、請求項４においては、軸受けボス体やロックアームを枠体に形成することも可能であるが、この場合は、枠体の構造が複雑化して製造用金型が複雑化してしまうおそれがある。これに対して請求項５のように、枠体とは別の軸受け部材を製造して、これに軸受けボス体とロックアームとを形成すると、枠体の形状が複雑化することを防止してその製造用金型のコストを抑制できる。また、軸受け自在は枠体とは異なる素材で製造できるため、ばね性や耐久性に優れた材料を選択して製造することができる。このため、耐久性や強度の確保をより一層確実化できる。また、ロックアームが折損した場合、軸受け部材のみを交換したらよいため、経済的である。
【００２３】
請求項６の構成を採用すると、接続器ユニットの取り付けのためのスペースが通線空間になるため、スペースを有効利用して、接続器ユニットを取り付けることができる。また、コンセントやジャックは上向きに向いているため、プラグは上から差し込むことができる。従って、プラグの抜き差しはきわめて簡単である。また、接続器ユニットはカバーに近づけきった取り付け状態では上向き抜け不能に保持されているため、プラグを上向きに引っ張っても接続器ユニットが枠体から外れるような問題はなく。従って、プラグの抜き差しの容易性を損なったり通線機能を損なったりすることなく、接続器ユニットを枠体に簡単に取り付けることができる。
【００２４】
なお、枠体とは別部材の軸受け部材を使用することは、それ自体として独立した発明たり得る。また、請求項６で特定した構成も、独立した発明たり得る。
【図面の簡単な説明】
【００２５】
【図１】実施形態を示す図で、（Ａ）はセンターパネルを分離した状態で上方から見た斜視図、（Ｂ）は下方から見た斜視図、（Ｂ）は枠体を表示した部分斜視図である。
【図２】要部の分離斜視図である。
【図３】（Ａ）は要部の平面図、（Ｂ）は接続器ユニットの分離斜視図である。
【図４】（Ａ）は要部の斜視図、（Ｂ）は接続器ユニットを下方から見た斜視図である。
【図５】（Ａ）は接続器ユニットを下方から見た斜視図、（Ｂ）は図３（Ａ）のIII-III 視断面図である。
【図６】（Ａ）はメインカバーと軸受け部材との分離斜視図、（Ｂ）は接続器ユニットと枠体との分離斜視図、（Ｃ）は接続器ユニットの部分斜視図である。
【図７】（Ａ）は枠体とカバーとの分離斜視図、（Ｂ）は枠体とカバーと軸受け部材との分離斜視図、（Ｃ）は軸受け部材の斜視図である。
【図８】（Ａ）はカバーと軸受け部材との分離斜視図、（Ｂ）は枠体とカバーと軸受け部材との関係を示す分離斜視図、（Ｃ）は枠体の部分斜視図である。
【図９】メインカバーの取り付け手順を示す縦断側面図（但し、メインカバーは断面図でなく側面図として表示している。）。
【発明を実施するための形態】
【００２６】
(1).概要
次に、本願発明の実施形態を図面に基づいて説明する。まず、図１〜３を参照して概要を説明する。本実施形態のテーブルは、平面視四角形（正方形）の天板１と、天板１をその四隅部において支持する４本の脚２とを有しており、脚２は、天板１の下面に固定されるブラケット３から棒状の支柱４を垂下した態様になっている。天板１の下面には、縦横の補強フレーム５が固定されている。
【００２７】
天板１の中央部には、平面視四角形（正方形）の配線用穴６が開口しており、配線用穴６の下方にはケーブル等を受けるダクト７が配置されている。ダクト７は、天板１の下面にビスで固定されている。また、天板１の上面には、オプション品としてのセンターパネル８を配置することができる。センターパネル８は、配線用穴６を前後に分離するようにして、天板１の横長中心線の上に配置されている。
【００２８】
テーブルは、４辺の箇所に人が１人ずつ又は２人ずつ腰掛けて使用することもできるし、前後に対向するように１人ずつ又は２人ずつ腰掛けて使用することができる。センターパネル８は、人が前後に対向して腰掛ける場合に使用される。
【００２９】
図１（Ｃ）に示すように、配線用穴６には前後分離方式の枠体９が装着されている。枠体９を前後分離方式にしているのは、図示の天板１を横長中心線に沿って左右横長の形状にしたタイプに適用できるようにするためである。従って、枠体９はループ状の一体品であってもよい。
【００３０】
枠体９には、前後中間部に位置したセンターカバー１０と、センターカバー１０を挟んで一方の側に配置されたメインカバー１１、及び、センターカバー１０を挟んで他方の側に配置された接続器ユニット（コンセントユニット）１２が装着されている。図３（Ａ）のとおり、センターカバー１０とメインカバー１１、及び、センターカバー１０と接続器ユニット１２とは密接しているが、メインカバー１１の後面とは枠体９との間、及び、接続器ユニット１２の前面と枠体９との間には、ケーブル類（図示せず）を通すことができる通線空間１３が空いている。従って、通線空間１３は左右横長の溝状になっている。
【００３１】
センターパネル８を取り付けるときは、センターカバー１０は使用されない（センターカバー１０を取り付けたままでもよい。）。請求項に記載したカバーは、本実施形態ではメインカバー１１が該当する。枠体９とカバー１０，１１と接続器ユニット１２とは、それぞれ樹脂の成形品である。
【００３２】
枠体９のうち前後中間点を挟んだ前後両側の部位に軸受け部材１４が装着されており、メインカバー１１は、左右一対の軸受け部材１４により、回動自在に支持されている。他方、接続器ユニット１２は、左右横長の本体ケース１５と、本体ケース１５に左右スライド可能に装着したコンセントボックス１６とを有しており、コンセントボックス１６を左右スライドさせずに固定式とする場合は、穴に蓋板１７が装着される。従って、蓋板１７は、本体ケース１５に対して着脱自在である。蓋体１７には、ＵＳＢポート１７ａを設けている。このＵＳＢポート１７ａは、ＬＡＮなどのネットワークして使用することもできるし、電源用・充電用として使用することもできる。接続器ユニット１２に、通信用のモジュラージャックを設けることも可能である。
【００３３】
(2).枠体と軸受け部材
次に、図３以下の図面も参照して各部材の詳細を説明する。まず、枠体９と軸受け部材１４とを説明する。枠体９は例えばアルミダイキャスト品であり（樹脂製でもよい）、例えば図２に示すように、その四周の外面には、天板１に固定するための外向き突起１９を一体に設けている。外向き突起１９は枠体９の下半部に設けており、天板１の下面には、外向き突起１９が嵌まり込む凹所２０（図９参照）を形成している。また、各外向き突起１９には、位置決め突起２１を上向きに突設している一方、天板１における各凹所２０の上底面には、位置決め突起２１が嵌まる位置決め穴２２を形成している。
【００３４】
枠体９における前後中間部の内側面には、前後一対のセンターリブ２３を横向きに突設している。例えば図７に示すように、センターリブ２３は略板状になっており、前後に対向した面でない前後外面の下部に、センターリブ２３を薄肉化することによって係合段部２５を形成している。
【００３５】
他方、同じく図７（Ａ）に示すように、センターカバー１０の左右側部には、前後対のセンターリブ２３を前後から挟む下向き爪２４が前後一対ずつ形成されており、下向き爪２４が、センターリブ２３の係合段部２５に係合している。センターリブ２３の下面には、箱状の補強枠２６を形成している。センターパネル８を使用する場合は、前後のセンターリブ２３に装着したホルダーを介してロッドを立設し、このロッドにセンターパネル８を嵌め入れる。
【００３６】
図２に示すように、枠体９の左右内側面には、センターリブ２３に近い順に、軸受け部材１４を取り付けるための角柱状の第１突起２７と、接続器ユニット１２を取り付けるための第２突起２８及び第３突起２９が形成されている。第２突起２８は、第１突起２７に近い部位の突出寸法が大きくなって平面視Ｌ形になっており、かつ、側面視では、第１突起２７に近い部位が下向きに突出した逆Ｌ形になっている。他方、第３突起２９は板状であり、枠体９の前後面に近く寄せて配置されている。
【００３７】
例えば図７（Ｂ）（Ｃ）に示すように、軸受け部材１４は、枠体９の内側面に重なる基部３０と、基部３０から内向きに突出した軸受けボス体３１と、軸受けボス体３１を下斜め方向から部分的に囲う円弧状姿勢のロックアーム３２とを有しており、基部３０の下端に、外向きの二股状の係合爪３３を形成し、係合爪３３を、枠体９に設けた外向き突起１９の中空部に形成した係合段部３４に係合させている。従って、軸受け部材１４は、天板１に固定するための外向き突起１９の箇所に設けている。
【００３８】
図７に明示するように、枠体９のうち、第１突起２７を設けている部分（軸受け部材１４の基部３０が重なる部分）は、若干凹ませた凹所３５になっている。また、凹所３５の下部は、係合爪３３の入り込むみを許容するために切欠かれている。図７（Ｃ）から理解できるように、軸受け部材１４には、第１突起２７が嵌まる角形穴３６が空いている。従って、軸受け部材１４は、第１突起２７によって上下左右にずれ不能でかつ回転不能に保持されて、係合爪３３によって抜け不能に保持されている。
【００３９】
例えば図９に明示するように、ロックアーム３２は、枠体９の側面視において、センターリブ２３から遠ざかるに従って高くなるように、下から上方に向けて円弧状に延びており、上端部は自由端になっている。そして、軸受けボス体３１の周囲のうち概ね１／４程度を囲っている。
【００４０】
(3).接続器ユニット
接続器ユニット１２は、既述のとおり本体ケース１５とコンセントボックス１６とを有しており、本体ケース１５が枠体９に取り付けられている。例えば図５に示すように、本体ケース１５は、天板と前後一対ずつの前後の外側板３８と内側板３９、及び左右のサイド側板４０とを有しており、例えば図４（Ａ）に示すように、天板に左右横長の窓穴４１を形成して、窓穴４１の箇所にコンセントボックス１６を左右スライド可能に装着している。コンセントボックス１６には、複数の（４つの）接続口４２を設けている。
【００４１】
そして、例えば図５に示すように、本体ケース１５の前後の内側板３９に、ガイドリブ４３を左右方向に沿って飛び飛びで多数形成している一方、コンセントボックス１６の前後側部には、ガイドリブ４３にスライド自在に載る下向き片４４を設けている。蓋板１７には、ガイドリブ４３に係合する下向きの爪４５を設けている。
【００４２】
更に、図２に示すように、本体ケース１５の左右側面には、軸受け部材１４の軸受けボス体３１に前後方向から嵌まる第１ストッパー４６と、枠体９の第２突起２８に下方から当接して上向き動を阻止する第２ストッパー４７と、枠体９の第３突起２９に下方から当接して上向き動を阻止する第３ストッパー４８とを形成している。本体ケース１５における天板の左右側縁４９は、枠体９の第２突起２８及び第３突起２９に上から載っている。
【００４３】
そして、枠体９の突起２８，２９及び軸受けボス体３１と、本体ケース１５のストッパー４６〜４８との関係を、本体ケース１５を枠体９の手前の内面に当てた状態では、第３ストッパー４８が第３突起２９の手前に位置して、第２ストッパー４７が第２突起２８の手前に位置して、第１ストッパー４６が軸受けボス体３１の手前に位置するように設定している。
【００４４】
従って、本体ケース１５を枠体９の手前の内面に当てた状態で下向きにずらして、本体ケース１５の左右側縁４９を第２突起２８及び第３突起２９に載せた状態で後ろにずらすと、第１ストッパー４６が軸受けボス体３１に嵌合すると共に、第２ストッパー４７及び第３ストッパー４８とは第２突起２８及び突起２９の下面部に位置して、これにより、本体ケース１５は（接続器ユニット１２は）、上向きに離脱不能に保持される。
【００４５】
プラグは接続口４２に上下方向に抜き差しするため、プラグを抜き外すに際して接続器ユニット１２が枠体９から外れることはない。また、本体ケース１５を水平スライドさせ切ると、本体ケース１５の前縁と枠体９の前縁との間には、ケーブル類を引出しできる通線空間１３が空く。接続器ユニット１２を枠体９の後ろ側に配置する場合は、上記の操作方向は逆になる。
【００４６】
なお、図２では本体ケース１５に第１ストッパー４６を表示しているが、図３〜５では第１ストッパー４６は表示していない。従って、図２に表示した本体ケース１５と図３〜５に表示したホンタイケース１５は、少し形状が相違している。第１ストッパー４６は必ずしも必要はないものである。但し、第１ストッパー４６を設けると、本体ケース１５を枠体９にしっかりと取り付けできる利点がある。本体ケース１５の取り付け手段としては、第１ストッパー４６と第３ストッパー４８との２種類だけを採用することも可能である。
【００４７】
(4).メインカバー
次に、メインカバー１１を説明する。図６（Ａ）に明示するように、メインカバー１１は、配線用穴６を塞ぐ平らな基板と、その下面に設けた前後外側板５１及び左右サイド側板５２を有しており、全体としてトレー状の形態を成している。内部には、左右横長の仕切り板５３を前後に２枚ずつ設けている。従って、メインカバー１１の内部は複数の溝に区画されている。メインカバー１１は、枠体９から外して上向き開口姿勢で机上に載置して、小物入れとして使用できる。その場合、溝を利用してスマートフォンのような薄型機器を立て掛けることができる。
【００４８】
メインカバー１１のサイド側板５２は、基板の端縁からある程度の寸法（軸受けボス体３１の突出寸法と同じ程度）だけ左右内側にずれている。そして、図６（Ａ）や図９のとおり、基板の下面の左右側部に、軸受けボス体３１を囲う側面視Ｕの抱持部５４を一体に形成している。抱持部５４は、メインカバー１１の長手一側縁１１ａの方向に開口している。
【００４９】
そして、抱持部５４の外周のうち下面部と後ろに立ち上がる部分とを、円弧状外周面５４ａと成しており、円弧状外周面５４ａのうち抱持部５４の開口端の側に第１係合凹部５５を形成して、円弧状外周面５４ａのうち抱持部５４の開口端と反対側の端部には第２係合凹部５６を形成している。他方、ロックアーム３２の先端に、係合凹部５５，５６に嵌まる係合突起５７を設けている。
【００５０】
図９に示すように、メインカバー１１を、起こした姿勢にして下向きに移動させつつ、図９の状態で時計回り方向に少し回転させながら押し込むと、メインカバー１１を軸受けボス体３１に嵌め込むことができる。つまり、ロックアーム３２の弾性に抗して、抱持部５４を軸受けボス体３１に嵌め込むことができる。
【００５１】
抱持部５４を嵌め込んでから下向きに回動させて水平姿勢にすると、ロックアーム３２の係合突起５７と抱持部５４の第２係合凹部５６とが嵌まり合って、メインカバー１１は水平姿勢に保持される。従って、テーブルが振動しても、ガタガタと音が出るようなことはない。なお、メインカバー１１の左右側縁は枠体９の第２突起２８と第３突起２９に載っている。従って、第２突起２８と第３突起２９は、メインカバー１１を水平姿勢に保持する機能も持っている。
【００５２】
メインカバー１１の自由端部に指先を当てて、ロックアーム３２の弾性にして上向きに押すと（或いは引くと）、メインカバー１１を起こすことができ、起こしきると、係合突起５７が第１係合凹部５５に嵌合して、メインカバー１１は起きた状態に保持される。実施形態では、メインカバー１１は鉛直姿勢までは起きずに、鉛直姿勢から少し前倒れした姿勢まで回動させることができる。もとより、鉛直姿勢まで或いはそれ以上の鈍角姿勢まで起こすことは可能である。
【００５３】
メインカバー１１を起こした姿勢に保持できるので、例えば、手先を配線用穴６の内部に差し入れて作業を行う場合、一々メインカバー１１を取り外したり、片手でメインカバー１１を起こした状態に保持していたりする必要はない。従って、作業を迅速に行える。なお、メインカバー１１はロックアームの弾性に抗して回動させると、抱持部５４がロックアーム３２で弾性的に押されているため、摩擦を利用してメインカバー１１を任意の開き姿勢に保持することも可能である。第１係合凹部５５と第２係合凹部５６との間に１つ又は複数の係合凹部を形成しておくと、メインカバー１１を、全開姿勢と全閉姿勢との間の中間開き状態にしっかりと保持できる。
【００５４】
枠体９は、既述のようにアルミダイキャスト品とするこもできるし、例えばポリプロピレンのような安価な汎用樹脂で製造できる。他方、軸受け部材１４は、ポリカーボートやナイロン樹脂のような強度と耐久性に優れた樹脂で製造するのが好ましい。枠体９をアルミ製として金属色を強調しつつ、軸受け部材１４を樹脂製としてメインカバー１１の姿勢保持機能を確保できる。
【００５５】
以上、本願発明の実施形態を説明したが、本願発明は他にも様々に具体化できる。例えば、配線用穴を１つの天板１に複数形成してもよい。配線用穴は長方形であってもよい。用途が異なる複数の部材を左右に並べて配置することも可能である。カバーを挟んだ両側に２つの接続器ユニットを配置するというように、３つ以上の部材を配置することも可能である。カバーを回動式にしたときの姿勢保持手段としては、カバーにロックアームを設けて、軸受けボス体３１に円弧状外周面を形成することも可能である。更に、他の係合手段を採用することも可能である。配線用穴は四周を有する閉じた形態である必要はないのであり、天板の一側縁に開口した形態であってもよい。
【産業上の利用可能性】
【００５６】
本願発明は、実際にテーブルに具体化できる。従って、産業上利用できる。
【符号の説明】
【００５７】
１  天板
６  配線用穴
９  枠体
１０  センターカバー
１１  メインカバー（請求項のカバー）
１２  接続器ユニット（コンセントユニット）
１３  通線空間
１４  軸受け部材
１５  本体ケース
１６  コンセントボックス
１７  蓋板
１７ａ  ネットワーク用ポート
２７，２８，２９  枠体に設けた突起
４７，４８，４９  本体ケースに設けたストッパー
３１  軸受けボス体
３２  ロックアーム
５４  抱持部
５４ａ  円弧状外周面
５５，５６  係合凹所
５７  係合突起
【図１】
2018075049.tif 000003
【図２】
2018075049.tif 000004
【図３】
2018075049.tif 000005
【図４】
2018075049.tif 000006
【図５】
2018075049.tif 000007
【図６】
2018075049.tif 000008
【図７】
2018075049.tif 000009
【図８】
2018075049.tif 000010
【図９】
2018075049.tif 000011
【手続補正書】
【提出日】平成29年1月20日(2017.1.20)
【手続補正１】
【補正対象書類名】図面
【補正対象項目名】全図
【補正方法】変更
【補正の内容】
【図１】
2018075049.tif 000012
【図２】
2018075049.tif 000013
【図３】
2018075049.tif 000014
【図４】
2018075049.tif 000015
【図５】
2018075049.tif 000016
【図６】
2018075049.tif 000017
【図７】
2018075049.tif 000018
【図８】
2018075049.tif 000019
【図９】
2018075049.tif 000020